(57)【要約】【課題】本発明は、りん本体にりん棒等を置くことも可能なりん具の提供を目的とする。【解決手段】りん具は、りん棒を置くための中空部を有することを特徴とする。【選択図】  図１
2010012299.tif 000002
【特許請求の範囲】
【請求項１】
りん本体は、りん棒を置くための中空部を有することを特徴とするりん具。
【請求項２】
第１のりん本体と第２のりん本体とを上下反転設置可能に接続部材で接続してあり、第１のりん本体と第２のりん本体とのいずれか一方又は両方にりん棒を置くための中空部を有することを特徴とするりん具。
【請求項３】
第１のりん本体と第２のりん本体とを上下反転設置可能に接続部材で接続してあり、当該接続部材にりん棒を置くための中空部を有することを特徴とするりん具。
【発明の詳細な説明】
【技術分野】
【０００１】
本発明はりん棒、撥などで叩くことにより先祖を供養したり、信仰するものを祭る祭壇あるいは、愛玩動物用など供養するために利用するりん具に関するものである。
【背景技術】
【０００２】
従来のりん具は特願２００２−１３１２０９（Ｐ２００３−３１９８６９Ａ）、実用新案登録第３１３２４６３号（Ｕ３１３２４６３）に見られるようなりん本体２つをりん本体の開放部を向かい合わせにして、位置関係を調整したり音響を調整するためのりん具が提案されている。
【先行技術文献】
【特許文献】
【０００３】
【特許文献１】実用新案登録第３１３２４６３号公報
【特許文献２】特開２００３−３１９８６９号公報
【発明の概要】
【発明が解決しようとする課題】
【０００４】
しかしながら、上部に位置する第１りん本体と下部に位置する第２のりん本体との全体的な位置関係は設置したままの状態であまり変わるものではなく、第１のりん本体と第２のりん本体の音の違いや反響を生かす工夫はこれといったものがなかった。
【０００５】
このため、せっかくの音の違いや反響しあう音を楽しむ方法に制約があり、あまり音のバリエーションを楽しめるりん具の仕組みを備えてはいなかった。
【課題を解決するための手段】
【０００６】
本発明に係るりん具は、りん本体が、りん棒を置くための中空部を有することを特徴とする。
２つのりん本体を組み合せたりん具であって、上部に位置する第１のりん本体（１）と下部に位置する第２のりん本体（２）とを上部下部とを縦方向に反転させ、第１のりん本体（１）を下部に位置せしめ、第２のりん本体（２）を上部に位置せしめても安定直立する反転設置可能であることを特徴としたりん具であってもよい。
つまり、上部と下部との第１のりん本体（１）と第２のりん本体（２）を反転リバースさせても、安定直立して、撥やりん棒で叩いても安全に安定したりん具としたことで、上部と下部の位置関係を替えてのバリエーションを楽しめるりん具にすることができた。
ここで、２つのりん本体を組み合せたりん本体を複合りん本体（４）と定義する。
その場合に、りん具は第１のりん本体と第２のりん本体とを上下反転設置可能に接続部材で接続してあり、第１のりん本体と第２のりん本体とのいずれか一方又は両方にりん棒を置くための中空部を有するようにしてもよく、りん具は第１のりん本体と第２のりん本体とを上下反転設置可能に接続部材で接続してあり、当該接続部材にりん棒を置くための中空部を有するようにしてもよい。
【０００７】
また、台座を用いることで、第１及び第２のりん本体における形状の制約が大幅に改善できる。
つまり、反転設置可能である設置手段を台座（３）用いて、上部に位置する第１のりん本体（１）と下部に位置する第２のりん本体（２）とを上部と下部を縦方向に反転させ、第１のりん本体（１）を下部に位置せしめ、第２のりん本体（２）を上部に位置せしめても安定直立することを特徴とした、第１のりん本体（１）と第２のりん本体（２）からなる複合りん本体（４）と台座（３）からなるようにする方法である。
第１のりん本体（１）が下部になろうととも、安定せしめるように第１のりん本体（１）と台座（３）とが、安定接触する構造になっていればよい。
【０００８】
りん具にりん棒を置くために中空部を形成する方法には特に制限がないが、複合りん本体（４）に第１のりん本体（１）と第２のりん本体（２）を貫く中空部（５）を持つことで、そこにりん棒（８）などを置くスペースを確保でき、便利である。
もちろん、りん棒（８）以外にも、線香を入れて、線香立ての代わりにしても良いし、紙を丸めて収納してもよい。
また、この部分に積極的にモノを納めることで、音の周波数特性に変化を起こさせることができるため、積極的に音を変化させるのに、便利である。
【０００９】
りん具に、つまみ部を設けると手でつまんで簡便に反転することができて便利である。
円形状の板状のものであれば、見栄えもよく、デザイン的にも感じがよい。
また、円形状のものは、上部に位置するりんの音を特に反響させ、強調する構造に適している。
【００１０】
りん具は、第１のりん本体（１）もしくは第２のりん本体（２）に１以上複数のりん本体を付与したことを特徴とした３以上複数からなるりん具は、複雑な音色を出しやすい。
【発明の効果】
【００１１】
本発明に係るりん具は、一定の音色でしか楽しめなかったりん具のバリエーションを広くすることができて便利である。
特に上部に位置するりん本体の音が強調されて、下部に位置するりん本体の音が、隠れやすかった。
これを反転設置させることで、従来聞きづらかった第２のりん本体の音が上部になることで、叩きやすくなることも加わり、より、強調され聞きやすくなった。
【００１２】
また、第１もしくは第２のりん本体の形状によっては、下部に位置するりん本体と設置場所との下部の接触具合によって、消音効果を大いに期待できる。
【００１３】
また、台座を用いると、安定設置可能なりん具の形状のバリエーションを広げることができる。
安定設置の場合に、複合りん本体下部が広がっている必要があるが、台座を用いることで、それをスムーズに解消することができる。
【００１４】
りん具は、複合りん本体（４）に第１のりん本体（１）と第２のりん本体（２）を貫く中空部（５）を持つことで、そこにりん棒（８）などを置くスペースを確保でき、便利である。
もちろん、りん棒（８）以外にも、線香を入れて、線香立ての代わりにしても良いし、紙を丸めて収納してもよい。
また、この部分に音響変化を想定した形状のものを納めることで、音の周波数特性に変化を起こさせることができるため、積極的に音を変化させることができる。
【００１５】
りん具は、つまみ部を設けることで、手を使って、簡便に反転することができて便利である。
第１のりん本体もしくは、第２のりん本体を直接持つ必要がないため、第１のりん本体もしくは第２のりん本体が汚れにくい。
また、仏壇など遠方に位置するところに設置したり、取り除いたりするときに、仏器を移動するための仏器さしのようなものを利用するのに都合がよい。
円形状の板状のものであれば、見栄えもよく、デザイン的にも感じがよい。
また、円形状のものは、上部に位置させたほうのりん本体を特に反響させ、強調する構造に適している。
【００１６】
りん本体（１）もしくは第２のりん本体（２）に１以上複数のりん本体を付与したことを特徴とした３以上複数からなるりんは、複雑な音色を出しやすい。
見た目にもゴージャスである。
【図面の簡単な説明】
【００１７】
【図１】本発明の実施形態を示す説明縦端面図である。
【図２】本発明の実施形態を示す説明縦端面図である。
【図３】本発明の実施形態を示す説明縦端面図である。
【図４】本発明の実施形態を示す説明縦端面図である。
【図５】本発明の実施形態を示す説明縦端面図である。
【図６】本発明の実施形態を示す説明縦端面図である。
【図７】本発明の実施形態を示す説明縦端面図である。
【図８】本発明の実施形態を示す説明図である。
【発明を実施するための形態】
【００１８】
本発明のりんの具体的な形状について、各図面に基づいて説明する。
実際の形状は縦軸を中心とした回転体である。
簡明のために、特に注釈がない図面は全て、回転体の軸を基準とした説明縦端面で表してある。
端面図であるが、斜線は簡明のため省略する。
【実施例１】
【００１９】
図１は説明縦端面図である。
以下の図面も同様である。
実際のものは縦軸を中心とした回転体である。
この形態は、第１のりん本体（１）と第２にりん本体（２）から、構成されている。
第１及び第２のりん本体は、金属が適切である。
特に青銅、真鍮、などの銅合金は響きがよい。
鉄も同様に感じよく響きやすい。
とはいえ、響きやすくりんとして、適切であれば材質にこだわらない。
通常の大きさは、１センチ〜１０センチ程度が、持ちやすいため、反転させやすく、手ごろである。
もちろん、適宜、ユーザーの要望に応じた大きさでよく、特に制限はない。
上部に位置する第１のりん本体（１）と下部に位置するりん本体（２）を反転することでも安定して、りんとして提供することが可能である。
図３は、反転前と反転後の形状変化を示したものである。
図４の形態のように縦方向に細長い意匠であってもよい。
第１のりん本体（１）と第２のりん本体（２）との接続方法は、一体成形となっていてもよいし、ネジ結合や溶接、挟着接合でも、方法は特に問わない。
もちろん接続部材などをもちいてつなげてもよい。
第１のりん本体（１）と第２のりん本体（２）とは同じ形状である必要もないし、同じ音質、同じ材質である必要もない。
【実施例２】
【００２０】
図２は台座（３）を用いた発明の実施例である。
この形態は第１のりん本体（１）を反転させて下部にきても、第２のりん本体（２）のようにうまく、設置できるような形状となっている。
台座（３）は従来からあるりん座布団のようなやわらかなものであってもよい。
むしろ、やわらかな座布団のような緩衝材は、密着性がよく、便利である。
台座（３）の材質に限定はない。
ただ、安定感を得るために、金属、陶器などの、密度の高いものがずれにくいため適している。
この形態では、台座（３）は固定され、複合りん（４）のみ反転させて使用する。
【００２１】
第１のりん本体（１）と第２のりん本体（２）とは接続部材（７）で接続されている。
接続部材（７）に限定は特にない。
図５のような形態も同様に台座（３）を利用した形態である。
このように、台座（３）を利用することで、複合りん（４）のバリエーションが広がる。
【実施例３】
【００２２】
図７は本発明の説明図であって、簡便のために縦端面図で表している。
簡便のため、斜線は省略してある。
この説明縦断面図において、複合りん（４）の縦軸方向にそった概略中央部に第１のりん本体（１）と第２のりん本体（２）を貫く中空部（５）を有している形態である。
図８も同様な形態である。
複合りん本体（４）は端面図で表し斜線は省略している。
説明のため、りん棒（８）は正面からみた形状で図示している。
【実施例４】
【００２３】
図６はつまみ部（６）を有しているりん具である。
つまみ部（６）は図のような円形の必要はなく、つまみやすい形状であれば、形状は問わないが、円形状である方が、見た目もよく、上部に位置する第１もしくは第２のりん本体の音色を強くする役目も果たす。
【実施例５】
【００２４】
第１のりん本体（１）もしくは第２のりん本体（２）に別のりん本体を付与させた形状であると、複雑な音色が楽しめてよい。
付与する形態は溶接、ネジ結合などさまざまな形態がある。
適切な形態をとればよく、特に必然的な付与形態は限定されない。
また、本発明はりん棒、撥などで叩くことにより先祖を供養したり、信仰するものを祭る祭壇あるいは、愛玩動物用など供養するために利用するりん具に関するものであるが、呼び鈴として、用いてもよい。
【符号の説明】
【００２５】
１      第１のりん本体
２      第２のりん本体
３      台座
４      複合りん本体
５      中空部
６      つまみ部
７      接続部材
８      りん棒
【図１】
2010012299.tif 000003
【図２】
2010012299.tif 000004
【図３】
2010012299.tif 000005
【図４】
2010012299.tif 000006
【図５】
2010012299.tif 000007
【図６】
2010012299.tif 000008
【図７】
2010012299.tif 000009
【図８】
2010012299.tif 000010